(57)【特許請求の範囲】
【請求項１】
回転軸と一体に回転するように当該回転軸に設置され、軸方向の少なくとも一方の面にシール面が形成されている回転環と、
前記回転環の前記シール面に密接摺動するシール面が形成されている固定環と、
前記回転環を前記回転軸に固定するための回転環固定部と、
前記回転環及び前記固定環を収容し、前記固定環を軸方向に移動自在で前記回転環方向に押圧されるように支持するカバー部とを有し、
前記回転環固定部は、
前記回転軸の周面に固定可能で、軸方向機外側又は機内側から前記回転環を係止する回転環係止面と、ノックピン挿入用の径方向の貫通孔とを有するスリーブと、
前記スリーブに嵌合されて当該スリーブの軸方向機内側又は機外側に配置されるカラーであって、前記スリーブの前記回転環係止面と対向する方向から前記回転環を係止する回転環係止面と、前記スリーブに嵌合された状態において前記スリーブの前記貫通孔に連通するノックピン挿入用の径方向の貫通孔とを有する回転環固定用カラーとを有し、
前記回転環は、前記スリーブ及び前記回転環固定用カラー各々の前記回転環係止面により軸方向に挟持されるとともに、前記連通された前記貫通孔に内周側から嵌挿されるノックピンが当該回転環に形成された凹部に係合されることにより前記スリーブ及び前記回転環固定用カラーに周方向固定されることを特徴とするメカニカルシール装置。
【発明の詳細な説明】
【技術分野】
【０００１】
本発明は、回転環を回転軸にコンパクトに安定して固定することができるメカニカルシール装置に関する。
【背景技術】
【０００２】
従来、この種のメカニカルシール装置において、回転環を回転軸へ固定する構造としては、種々の形態が提案されている。
例えば、機内側でセットスクリューを用いて固定する形態（例えば、日本国実用新案出願公開平２−９２１７０号公報（特許文献１）参照）、スリーブを使用して機外側で固定する形態（例えば、ＰＣＴ国際公開ＷＯ２００６／０２２３７８号公報（特許文献２）参照）、シールナットを使用して固定する形態（例えば、日本国実用新案登録第２５３８９００号公報（特許文献３）参照）、あるいは、スリーブを２種類使用して固定する形態（例えば、日本国特許出願公開２００５−１４０２５８号公報（特許文献４）参照）等が知られている。【０００３】
【特許文献１】日本国実用新案出願公開平２−９２１７０号公報
【特許文献２】ＰＣＴ国際公開ＷＯ２００６／０２２３７８号公報
【特許文献３】日本国実用新案登録第２５３８９００号公報
【特許文献４】日本国特許出願公開２００５−１４０２５８号公報
【発明の概要】
【発明が解決しようとする課題】
【０００４】
そのような従来の回転環の固定方法は、いずれの場合においても、軸方向及び径方向にかなりのスペースを必要とするという課題がある。そこで、比較的簡単な回転環の固定形態として、例えば図６に示すようなスナップリングを用いる形態や、図７に示すようなノックピンを用いる形態が広く行われている。また、回転環に正圧（回転環を機外側に押し付ける圧力）のみが作用する条件であれば、押えが無いという形態も考えられる。【０００５】
しかしながら、図６に示すようなスナップリングを用いる形態は、スナップリングが機内側媒体に接液していることに起因するスナップリングの腐食や、スナップリングの摩耗により、スナップリングが溝部から外れる可能性がある。その場合、このような構成ではスナップリングは機内側に混入することとなり、使用条件によっては重大な問題が生じる可能性がある。【０００６】
また、図７に示すようなノックピンを用いる形態や押えが無い形態は、回転環に正圧のみが作用する条件であれば使用可能であるが、負圧がかかった場合には問題が生じる。図７に示すようなノックピンを用いる形態においては、負圧がかかった時にはノックピンで回転環を支えることになるので、シール面に歪みが生じ、シール液が漏洩する可能性がある。また、押えが無い構造では、負圧がかかれば回転環はスリーブから外れてしまい、シール装置は全く機能しない状態となってしまう。【０００７】
本発明はこのような課題に鑑みてなされたものであって、その目的は、回転環の回転軸への固定構造において軸方向及び径方向にも広いスペースを必要としないコンパクトな構造であり、また構成が簡単であり、腐食や摩耗の影響を低減でき、正圧でも負圧でも回転環が軸方向に安定して維持されて適切なシール性能を得ることができ、さらに、回転環のシール面が歪むことが無く安定したシール特性を得ることができるようなメカニカルシール装置を提供することにある。
【課題を解決するための手段】
【０００８】
前記課題を解決するために、本発明のメカニカルシール装置は、回転軸と一体に回転するように当該回転軸に設置され、軸方向の少なくとも一方の面にシール面が形成されている回転環と、前記回転環の前記シール面に密接摺動するシール面が形成されている固定環と、前記回転環を前記回転軸に固定するための回転環固定部と、前記回転環及び前記固定環を収容し、前記固定環を軸方向に移動自在で前記回転環方向に押圧されるように支持するカバー部とを有し、前記回転環固定部は、前記回転軸の周面に固定可能で、軸方向機外側又は機内側から前記回転環を係止する回転環係止面と、ノックピン挿入用の径方向の貫通孔とを有するスリーブと、前記スリーブに嵌合されて当該スリーブの軸方向機内側又は機外側に配置されるカラーであって、前記スリーブの前記回転環係止面と対向する方向から前記回転環を係止する回転環係止面と、前記スリーブに嵌合された状態において前記スリーブの前記貫通孔に連通するノックピン挿入用の径方向の貫通孔とを有する回転環固定用カラーとを有し、前記回転環は、前記スリーブ及び前記回転環固定用カラー各々の前記回転環係止面により軸方向に挟持されるとともに、前記連通された前記貫通孔に内周側から嵌挿されるノックピンが当該回転環に形成された凹部に係合されることにより前記スリーブ及び前記回転環固定用カラーに周方向固定されることを特徴とするものである。【０００９】
このような構成の本発明のメカニカルシール装置によれば、回転環の固定構造において軸方向及び径方向にも広いスペースを必要とせずコンパクトな構造であり、また構成が簡単であり、腐食や摩耗の影響を低減でき、正圧でも負圧でも回転環が軸方向に安定して維持されて適切なシール性能を得ることができ、さらに回転環のシール面が歪むことが無く安定したシール特性を得ることができるメカニカルシール装置を提供することができる。
【図面の簡単な説明】
【００１０】
【図１】図１は、本発明の一実施形態のメカニカルシール装置の構成を示す図である。
【図２】図２は、図１に示したメカニカルシール装置を回転軸に嵌合した状態を示す軸方向平面図である。
【図３】図３は、図１に示したメカニカルシール装置のスリーブの構成を説明するための拡大図である。
【図４】図４は、図１に示したメカニカルシール装置の回転環固定用カラーの構成を説明するための拡大図である。
【図５】図５は、図１に示したメカニカルシール装置の回転環を回転環固定部に設置する際の組み立て手順を説明するための図である。
【図６】図６は、従来の回転環の固定方法を示す図であり、スナップリングを用いて回転環を固定する構成を示す図である。
【図７】図７は、従来の回転環の固定方法を示す図であり、ノックピンを用いて回転環を固定する構成を示す図である。
【発明を実施するための形態】
【００１１】
本発明の一実施形態のメカニカルシール装置について、図１〜図５を参照して説明する。
本実施形態においては、回転軸が貫通する所望の装置の本体のハウジング外面にカートリッジ形式で装着されるメカニカルシール装置であって、２つの摺動面を背面合わせに配置したダブルシール構成のメカニカルシール装置を例示して本発明を説明する。本実施形態のメカニカルシール装置は、例えば遠心ポンプの軸シールとして使用して好適なメカニカルシール装置である。
【００１２】
図１は、本実施形態のメカニカルシール装置１の構成を示す断面図であり、メカニカルシール装置１をハウジング８０の外面８２に装着した状態を示す図である。
図２は、図１に示すシール装置１を回転軸７０に嵌合した状態を示す軸方向平面図である。
【００１３】
図１に示すように、ハウジング８０には回転軸７０が貫通する軸孔８１が形成されており、メカニカルシール装置１は、この軸孔８１の周囲の外面８２に設置されている。
なお、図１においてはハウジング８０の軸孔８１側（図示左側）が機内側空間Ａであり、その軸方向反対側（図示右側）が機外側空間であって大気空間Ｂである。
【００１４】
メカニカルシール装置１は、主な構成部として、カバー部１０、回転環固定部２０、回転環（メイティングリング）３１、機内側固定環（機内側シールリング）４１及び機外側固定環（機外側シールリング）５１を有する。カバー部１０は、さらにフランジカバー１１及びシールカバー１２を有し、また、回転環固定部２０は、スリーブ２１、回転環固定用カラー２２、ノックピン２３、２８、Ｏリング２４、２７、スリーブカラー２５及びセットスクリュー２６を有する。
メカニカルシール装置１においては、回転環３１の機内側シール面３２と機内側固定環４１とにより機内側シール部４０が構成され、回転環３１の機外側シール面３３と機外側固定環５１とにより機外側（大気側）シール部５０が構成される。
【００１５】
カバー部１０は、軸方向機内側に配置されるフランジカバー１１と、軸方向機外側に配置されるシールカバー１２とを有し、これらは、一体的に装置本体のハウジング８０に設置される。フランジカバー１１の機外側端面１１ｂの内周部は、後述する機内側固定環設置部１１１に相当する箇所が所定の幅で軸方向機外側に突出しており、外周部との間に段差（段差面１１ｃ）が形成されている。フランジカバー１１のこの段差面１１ｃに、シールカバー１２の内周面１２ｃの機内側端部が嵌合され、フランジカバー１１の機外側端面１１ｂとシールカバー１２の機内側端面１２ａとが密接され、フランジカバー１１とシールカバー１２とは同軸に一体化される。そしてこの状態において、カバー部１０の内部には、カバー部１０がハウジング８０に設置された場合に、ハウジング８０の軸孔８１と連続し回転軸７０が通過される内部孔１０１が形成される。
【００１６】
カバー部１０は、機内側部分の軸方向平面形状が、図２に示すように、略正方形に形成されており、カバー部１０の軸方向平面における各角部には、角部外側から対角線方向内側に切り込んだ設置用溝１５が形成されている。この４箇所の設置用溝１５に機外側からボルト１６を通過させ、ハウジング８０の外面８２の対応する位置に形成されたボルト穴に各ボルト１６を締め付けることにより、メカニカルシール装置１はハウジング８０の軸孔８１の周囲の外面８２に固定設置される。
【００１７】
この際、図１に示すように、フランジカバー１１の機内側端面１１ａとハウジング８０の外面８２との間にはＯリング１１５が介在される。また、フランジカバー１１とシールカバー１２との間には、これらの嵌合部の段差面１１ｃの箇所にＯリング１１６が介在される。これにより、カバー部１０の外部空間（大気空間Ｂ）とカバー部１０の内部空間である内部孔１０１との間が密封される。
【００１８】
カバー部１０の内部孔１０１の機内側端部、すなわち、フランジカバー１１の内周部は、内部孔１０１の軸方向中央付近の内周面（シールカバー１２の内周面１２ａ）より内側にフランジ状に突出しており、機内側固定環設置部１１１を形成している。前述したように、フランジカバー１１の機内側固定環設置部１１１に相当する箇所は、軸方向機外側に所定の高さに突出しており、フランジカバー１１の外周部の機外側端面１１ｂとの間に段差（段差面１１ｃ）が形成されている。また、この段差面１１ｃには、Ｏリング１１６を設置する溝が形成されている。
【００１９】
機内側固定環設置部１１１の内周側には、後述する機内側固定環４１が軸方向移動自在に嵌合設置されている。機内側固定環設置部１１１の内周面には、機内側固定環４１に形成されている階段部４１ａと対向するように軸方向に段差となった階段部１１１ｃが形成されており、これらの階段部４１ａ及び階段部１１１ｃの間に形成される断面矩形の環状空間にＯリング４９が配置されている。この環状空間にＯリング４９を介在させて機内側固定環４１を機内側固定環設置部１１１に嵌合させることにより、カバー部１０の内部孔１０１において、カバー部１０と機内側固定環４１との間が軸方向に密封される。
【００２０】
また、機内側固定環設置部１１１の機外側端面１１１ｂには、軸方向機外側に突出し、機内側固定環４１のフランジ部４４に形成された案内溝４５に嵌入される固定ピン４６が設置されている。
また、機内側固定環設置部１１１の同じく機外側端面１１１ｂには、周方向へ複数のバネ座４７が設けられており、機内側固定環４１のフランジ部４４の機内側端面４４ａとの間にコイルスプリング４８を保持する構成となっている。
【００２１】
カバー部１０の内部孔１０１の機外側端部、すなわち、シールカバー１２の機外側端部の内周部は、内部孔１０１の軸方向中央付近の内周面（シールカバー１２の内周面１２ｃ）より内側にフランジ状に突出しており、機外側固定環５１が設置される機外側固定環設置部１２１を形成している。
【００２２】
機外側固定環設置部１２１の内周側には、後述する機外側固定環５１が軸方向移動自在に嵌合設置されている。機外側固定環設置部１２１の内周面には、機外側固定環５１に形成されている階段部５１ａと対向するように軸方向に段差となった階段部１２１ｃが形成されており、これらの階段部５１ａ及び階段部１２１ｃの間に形成される断面矩形の環状空間にＯリング５９が配置されている。この環状空間にＯリング５９を介在させて機外側固定環５１を機外側固定環設置部１２１に嵌合させることにより、カバー部１０の内部孔１０１において、カバー部１０と機外側固定環５１との間が軸方向に密封される。
【００２３】
また、機外側固定環設置部１２１の機内側端面１２１ａには、軸方向機内側に突出し、機外側固定環５１のフランジ部５４に形成された案内溝５５に嵌入される固定ピン５６が設置されている。
また、機外側固定環設置部１２１の同じく機内側端面１２１ａには、周方向へ複数のバネ座５７が設けられており、機外側固定環５１のフランジ部５４の機外側端面５４ａとの間にコイルスプリング５８を保持する構成となっている。
【００２４】
シールカバー１２の内周部の機外側固定環設置部１２１に相当する箇所は、軸方向機外側に所定の高さに突出しており、突出した機外側端部の外周部は位置決め部１２５に形成されている。位置決め部１２５は、外周面に位置決め用溝１２６を有する。
【００２５】
回転軸７０に後述する回転環固定部２０を設置する時には、凸条部６４を有するセットプレート６３を、位置決め用溝１２６に凸条部６４を嵌合させてソケットボルト６５により固定し、セットプレート６３を介在させた状態でスリーブカラー２５を回転軸７０に設置する。これにより、スリーブ２１及び回転環固定用カラー２２を有する回転環固定部２０が、スリーブカラー２５及びセットプレート６３を介することでカバー部１０に対して所定の位置関係に規定され、その結果、回転環３１と機内側固定環４１及び機外側固定環５１とが各々所定の位置関係にセットされる。
なお、セットプレート６３は、メカニカルシール装置１を組み付け後に除去される。
【００２６】
また、カバー部１０には、図１及び図２に示すように、外周面から中間室１０２につながる径方向の流体流路が４本形成されている。４本の流体流路は、３本のクエンチング液注入路１３と、１本のクエンチング液排出路１４である。各流路１３及び１４のポートには、図示しない配管と接続可能な管用ネジ穴が形成されている。
また、各流路１３及び１４は、カバー部１０の内部孔１０１の軸方向中央付近の相対的に内径が大きい箇所（シールカバー１２の内周面１２ａ）に形成された開口に連通しており、シールカバー１２の内周面１２ａ、回転環３１、機内側固定環４１及び機外側固定環５１等で囲まれた中間室１０２に接続されている。
【００２７】
このような構成において図示せぬ配管を介して供給されるクエンチング液は、クエンチング液注入路１３から中間室１０２に注入され、直接に回転環３１、機内側固定環４１及び機外側固定環５１の外周面に流され、クエンチング液排出路１４から排出される。これにより、機内側シール部４０及び機外側シール部５０の各シール摺動面においては、摺動時の発熱が冷却されると共に、各シール部に付着している不純物が洗浄される。
【００２８】
機内側固定環（機内側シールリング）４１は、機内側シール部４０の一方のシール面を構成するシールリングであって、前述したように機内側固定環設置部１１１の内周側に軸方向移動自在に嵌合設置されている。機内側固定環４１は、機外側端面にシール面４２が形成されており、このシール面４２が後述する回転環（メイティングリング）３１の機内側シール面３２に摺動可能に密接し、機内側シール部４０を構成する。
【００２９】
機内側固定環４１の外周面には軸方向に段差となった階段部４１ａが形成されている。前述したように、この階段部４１ａと機内側固定環設置部１１１の内周面に形成された階段部１１１ｃとの間の環状空間にＯリング４９が配設されており、これにより、カバー部１０の機内側固定環設置部１１１と機内側固定環４１とは、その間を密封されて嵌合されている。
【００３０】
機内側固定環４１の外周側はフランジ部４４に形成されており、フランジ部４４の機内側端面４４ａには軸方向に案内溝４５が形成されている。案内溝４５には、前述したように機内側固定環設置部１１１の機外側端面１１１ｂに形成された固定ピン４６が挿入される。固定ピン４６と案内溝４５は、軸方向へ相対移動可能な状態、周方向へは係止された状態となっており、これにより機内側固定環４１は、機内側固定環設置部１１１に対して、すなわちカバー部１０に対して、軸方向には移動自在であり、周方向には回転不能に設置される。
【００３１】
また、機内側固定環４１のフランジ部４４の機内側端面４４ａには、周方向へ複数のバネ座４７が設けられており、前述したように機内側固定環設置部１１１の機外側端面１１１ｂに形成されたバネ座との間にコイルスプリング４８を保持している。これにより、機内側固定環４１は軸方向機外側に、すなわち回転環３１の方向に押圧される。
【００３２】
また、機内側固定環４１の内周面側は、回転軸７０の外周面との間に比較的大きな間隙が形成されており、機内側空間Ａに収容される被密封流体がスラリーを含むものであったとしても、その被密封流体が固形化して目詰まりすることなく流通できるように形成されている。
【００３３】
機外側固定環（機外側シールリング）５１は、機外側シール部５０の一方のシール面を構成するシールリングであって、前述したように機外側固定環設置部１２１の内周側に軸方向移動自在に嵌合設置されている。機外側固定環５１は、機外側端面にシール面５３が形成されており、このシール面５３が後述する回転環（メイティングリング）３１の機外側シール面３３に摺動可能に密接し、機外側シール部５０を構成している。
【００３４】
機外側固定環５１の外周面には軸方向に段差となった階段部５１ａが形成されている。前述したように、この階段部５１ａと機外側固定環設置部１２１の内周面に形成された階段部１２１ｃとの間の環状空間にＯリング５９が配設されており、これにより、カバー部１０の機外側固定環設置部１２１と機外側固定環５１とは、その間を密封されて嵌合されている。
【００３５】
機外側固定環５１の外周側はフランジ部５４に形成されており、フランジ部５４の機外側端面５４ａには軸方向に案内溝５５が形成されている。案内溝５５には、前述したように機外側固定環設置部１２１の機内側端面１２１ａに形成された固定ピン５６が挿入される。固定ピン５６と案内溝５５は、軸方向へ相対移動可能な状態、周方向へは係止された状態となっており、これにより機外側固定環５１は、機外側固定環設置部１２１、すなわちカバー部１０に対して、軸方向には移動自在であり、周方向には回転不能に設置されている。
【００３６】
また、機外側固定環５１のフランジ部５４の機外側端面５４ａには、周方向へ複数のバネ座５７が設けられており、前述したように機外側固定環設置部１２１の機内側端面１２１ａに形成されたバネ座との間にコイルスプリング５８を保持している。これにより、機外側固定環５１は軸方向機内側に、すなわち回転環３１の方向に押圧される。
【００３７】
回転環（メイティングリング）３１は、機内側シール部４０及び機外側シール部５０の各々他方のシール面を構成するシールリングであって、回転環固定部２０により回転軸７０に嵌合設置されている。
回転環３１は、その機内側端面が、機内側固定環４１のシール面４２と摺動可能に密接する機内側シール面３２に形成されており、機外側端面が、機外側固定環５１のシール面５３と摺動可能に密接する機外側シール面３３形成されている。
また、機内側端面（機内側シール面）３２の内周部には、回転環３１を回転環固定部２０に対して回転方向に相対移動不能に係止するノックピン２３が挿入されるノックピン係合用切り欠き３４が、周方向に等配に所定数形成されている。
【００３８】
回転環固定部２０は、スリーブ２１、回転環固定用カラー２２、ノックピン２３、２８、Ｏリング２４、２７、スリーブカラー２５及びセットスクリュー２６を有し、回転環３１を、回転軸７０に、回転軸７０と一体的に回転可能に設置される。
【００３９】
スリーブ２０は、Ｏリング２４を介在させて回転軸７０の周面に密接に嵌合される筒状部材である。スリーブ２０は、機内側端部において回転環固定用カラー２２とともに回転環３１を挟持し、機外側端部においてはスリーブカラー２５により回転軸７０に固定される。
【００４０】
スリーブ２１の構成について、図３を参照して説明する。
図３は、スリーブ２１の拡大断面図である。
図３に示すように、スリーブ２１の機内側端部の外周面には、各々回転軸７０の周面に平行な２段の段差面２１１及び２１３が形成されている。最も機内側の第１の段差面２１１の方が細径であり、第１の段差面２１１の機外側に形成される第２の段差面２１３は第１の段差面よりも所定の長さ太径に形成されている。第２の段差面２１３のさらに機外側には、回転環３１を機外側から係止する回転環係止面２１４が形成されるフランジ状の凸条部２１５が形成されている。
【００４１】
回転環３１は、その内周面３１ｃがスリーブ２１の第２の段差面２１３に嵌合するようにスリーブ２１に設置される。回転環３１は、内周面３１ｃがスリーブ２１の第２の段差面２１３に嵌合し、さらに、機外側端面の内周部、すなわち機外側シール面３３の内周部が、スリーブ２１の凸条部２１５の機内側の径方向面（回転環係止面）２１４に当接され、回転環３１の軸方向機外側への移動が阻止された形態で、スリーブ２１に設置される。
【００４２】
スリーブ２１の第１の段差面２１１と回転環３１の内周面３１ｃとの間に形成される環状の間隙には、Ｏリング２７、及び、回転環固定用カラー２２の筒状部２２２が配置される。すなわち、スリーブ２１において、第１の段差面２１１と第２の段差面との間の段差は、Ｏリング２７が配置されてスリーブ２１と回転環３１との間が軸方向に密封される作用を実現する高さであり、また、回転環固定用カラー２２の筒状部２２２が配置される当該筒状部２２２の高さに相当する所定の高さとされる。
【００４３】
スリーブ２１の第１の段差面２１１が形成されている機内側の端部筒状部には、周方向に沿って所定数のノックピン用孔２１６が形成されている。後述するように、回転環固定用カラー２２の筒状部２２２にも同様のノックピン用孔２２６が形成されており、回転環３１の機内側端面の内周部にはノックピン用切り欠き３４が形成されている。これらスリーブ２１、回転環固定用カラー２２及び回転環３１のノックピン用孔２１６，２２６及びノックピン用切り欠き３４は、スリーブ２１、回転環固定用カラー２２及び回転環３１を組み立てた時に、径方向に同軸に連通するように配置され、径方向に内側に開口したノックピン挿入用孔２３１を形成するように形成されている。
【００４４】
なお、ノックピン挿入用孔２３１に挿入するノックピン２３としては、その頭部の厚みが、スリーブ２１のノックピン用孔２１６が形成されている機内側の端部筒状部の厚み（肉厚）よりも薄く形成されたノックピンを用いる。これにより、ノックピン２３の頭部はスリーブのノックピン用孔２１６内に収容されることとなり、スリーブ２１から内径側に出っ張ることが無い。
また、スリーブ２１のノックピン用孔２１６の内周側、すなわち、スリーブ２１の機内側端部の内周のノックピン挿入用孔２３１の開口付近は、回転軸７０と嵌合される加工精度の要求される面をできるだけ小さくするとともに、スリーブ２１に孔加工やネジ加工をする際の歪等が嵌合面に影響しないようにするために、逃げ部としての段差２１７に形成されている。
【００４５】
回転環固定用カラー２２は、スリーブ２１の機内側端部においてスリーブ２１と嵌合し、回転環３１を機内側から係止してスリーブ２１との間で回転環３１を挟持する環状部材である。
【００４６】
回転環固定用カラー２２の構成について、図４を参照して説明する。
図４は、回転環固定用カラー２２の拡大断面図である。
図４に示すように、回転環固定用カラー２２は、筒状部２２２を有し、筒状部２２２の内周側には、機外側に開放された帯状の切り欠き部であって、スリーブ２１の機内側端部の第１の段差面２１１に嵌合するスリーブ係合用段差部２２１が形成されている。
【００４７】
また、筒状部２２２の外周面は、回転環３１の内周面３１ｃに嵌合する回転環嵌合面２２３に形成されており、機内側端部外周部には、回転環３１を機内側から係止する回転環係止面２２５が形成されたフランジ状の凸条部２２４が形成されている。
また、筒状部２２２には、スリーブ２１、回転環固定用カラー２２及び回転環３１を回転方向に相対移動不能に一体化するノックピン２３が挿入されるノックピン挿入用孔２３１を形成するノックピン用孔２２６が、周方向に等配に所定数配置されている。
【００４８】
スリーブカラー２５は、セットスクリュー２６及びノックピン２８により、回転軸７０と一体的に回転可能に回転軸７０に固定される部材であり、スリーブ２１の機外側端部の外周面に嵌合した状態で、回転軸７０に固定されるものである。これにより、回転環３１がスリーブ２１及び回転環固定用カラー２２に挟持された組み立て構造体が、回転軸７０に固定設置される。
【００４９】
このような構成の回転環固定部２０により、回転環３１が回転軸７０に設置される方法について、換言すれば、回転環３１がスリーブ２１及び回転環固定用カラー２２に挟持された組み立て構造体を組み立てるとともに、組み立てられた構造体を回転軸７０に設置する方法について、図５を参照して説明する。
【００５０】
まず、スリーブ２１の第１の段差面２１１にＯリング２７を挿入する（手順Ｓ１）。
次に、回転環３１をＯリング２７が装着されたスリーブ２１に嵌合する。回転環３１は、その内周面３１ｃをＯリング２７の外周側及びスリーブ２１の第２の段差面２１３に嵌合させ、機外側端面３３がスリーブ２１の凸条部２１４の回転環係止面２１４に当接するまでスリーブ２１に挿入することにより、スリーブ２１に対して設置する。この際、回転環３１のノックピン係合用切り欠き３４が、スリーブ２１のノックピン用孔２１６と周方向に同じ位置となり、径方向に同軸となるように、回転環３１をスリーブ２１に設置する（手順Ｓ２）。
【００５１】
次に、回転環固定用カラー２２を、回転環３１が設置されたスリーブ２１に嵌合させる。回転環固定用カラー２２は、筒状部２２２を回転環３１の内周面３１ｃとスリーブ２１の第１の段差面２１１との間の間隙に挿入し、凸条部２２４の回転環係止面２２５が回転環３１の機内側シール面３２に当接するまでスリーブ２１側に移動させることにより、スリーブ２１に対して設置する（手順Ｓ３）。この際、回転環固定用カラー２２のノックピン用孔２２６が、回転環３１のノックピン係合用切り欠き３４及びスリーブ２１のノックピン用孔２１６と周方向に同じ位置となり、径方向に同軸となり、これによりノックピン挿入用孔２３１が形成されるように、回転環固定用カラー２２を、回転環３１及びスリーブ２１に対して設置する。なお、回転環固定用カラー２２は、凸条部２２４の回転環係止面２２５が回転環３１の機内側シール面３２に当接するまでスリーブ２１側に移動させた状態において、回転環固定用カラー２２のノックピン用孔２２６とスリーブ２１のノックピン用孔２１６との軸方向の位置が一致するように形成しておく。
【００５２】
このように、ノックピン挿入用孔２３１が形成されるようにスリーブ２１、回転環固定用カラー２２及び回転環３１を組み立てたら、その組み立て構造体の内周部よりノックピン挿入用孔２３１にノックピン２３を挿入する（手順Ｓ４）。
【００５３】
このような手順により、回転環３１、スリーブ２１及び回転環固定用カラー２２の組み立て構造体が組み立てられる。
このようにして組み立てられた回転環３１、スリーブ２１及び回転環固定用カラー２２の組み立て構造体は、スリーブカラー２５により回転軸７０に固定設置される。
【００５４】
回転環３１、スリーブ２１及び回転環固定用カラー２２を有する組み立て構造体は、セットプレート６３により位置決めして回転軸７０に取り付けられる。前述したように、カバー部１０の機外側外周部には位置決め用溝１２６が形成されており、回転環３１を回転軸に設置する際には、複数のセットプレート６３が、位置決め用溝１２６に沿って等配に、位置決め用溝１２６にセットプレート６３の凸条部６４が嵌合させるように配置される。各セットプレート６３は、ソケットボルト６５により固定設置される。
【００５５】
このセットプレート６３に対して、スリーブカラー２１の位置を決めることにより、セットプレート６３とスリーブカラー２１とが所定の位置関係とされ、セットプレート６３が装着されるカバー部１０と、スリーブカラー２１と一体的に嵌合されるスリーブ２０及び回転環固定用カラー２２との相対的な位置関係が所望の位置関係に設定される。その結果、スリーブ２１及び回転環固定用カラー２２に挟持される回転環３１と、カバー部１０に装着される機内側固定環４１及び機外側固定環５１とが所望の位置関係とされ、機内側固定環４１のシール面４２と回転環３１の機内側シール面３２、及び、機外側固定環５１のシール面５３と回転環３１の機外側シール面３３とが各々所定の位置関係で、また所定の圧力で密接摺動する機内側シール部４０及び機外側シール部５０が構成される。
【００５６】
なお、メカニカルシール装置１において、回転環３１、機内側固定環４１及び機外側固定環５１は、各々、炭化ケイ素（シリコンカーバイト、ＳｉＣ）、カーボン、超硬合金等の材質で製作される。好適には、機内側固定環４１あるいは機外側固定環５１と回転環３１との組み合わせは、各々、炭化ケイ素（ＳｉＣ）と炭化ケイ素（ＳｉＣ）の組み合わせ、カーボンと炭化ケイ素（ＳｉＣ）の組み合わせ、超硬合金と超硬合金の組み合わせ、あるいは、カーボンと超硬合金の組み合わせが好適である。
【００５７】
また、メカニカルシール装置１の各Ｏリングの材質は、フッ素ゴム、ニトリルゴム、ＥＰＤＭ、パーフロロエラストマなどが用いられる。
【００５８】
このように、本実施形態のメカニカルシール装置１においては、スリーブ２１に加えて、回転環固定用カラー２２とノックピン２３とを用いることにより回転環３１を回転軸７０に固定しており、非常に簡単な構成で回転環３１を固定している。すなわち、ボルト穴やシールナットのようなネジ加工の必要な構成は使用せずにノックピン２３により回転環３１を固定している。従って、軸方向及び径方向にも広いスペースを必要としないコンパクトな構造で、回転環３１を回転軸７０に固定設置することができる。
【００５９】
また、本実施形態のメカニカルシール装置１においては、スリーブ２１の回転環係止面２１４と回転環固定用カラー２２の回転環係止面２２５とにより回転環３１を挟持しており、機内側方向にも機外側方向にも、換言すれば正圧方向にも負圧方向にも、回転環３１を面で支持している。従って、仮に負圧が作用したとしても、回転環３１のシール面が歪むことは無く、安定したシール特性を得ることができる。
また、機内側方向の圧力が作用しても機外側方向の圧力が作用しても、換言すれば正圧が作用しても負圧が作用しても、回転環３１が軸方向に動くことは無く、回転環３１の位置を安定して保持することができ、その点においても安定したシール特性を得ることができる。
【００６０】
また、本実施形態のメカニカルシール装置１においては、従来より使用している回転環３１の回り止め用のノックピン２３を使用して、回転環固定用カラー２２をも一体化している。従って、非常に安価に製造することができ有効である。
【００６１】
なお、前述した実施形態は、本発明の理解を容易にするために記載されたものであって本発明を何ら限定するものではない。本実施形態に開示された各要素は、本発明の技術的範囲に属する全ての設計変更や均等物をも含み、また任意好適な種々の改変が可能である。
【００６２】
例えば、回転環固定部２０の構成の細部は、任意に変更してよい。
例えば、スリーブ２１及び回転環固定用カラー２２の細部の構成は任意に変更してよいし、これらを一体化するノックピン２３の数や配置も任意に変更してよい。
【００６３】
また、回転環３１、機内側固定環４１及び機外側固定環５１等の形状や設置構成等は任意に変更してよい。
例えば、前述した実施形態においては、機内側固定環４１と機外側固定環５１は、実質的に同一の構成のシールリングを回転環３１を中心に対称に配置したものであった。しかしながら、機内側固定環４１と機外側シールリング５１との構成は異なるものであってよい。例えば、メカニカルシール装置１を大気中で使用する場合等、使用環境に応じてバランス値の異なるシールリングを機内側固定環４１あるいは機外側固定環５１に使用してよい。
【産業上の利用可能性】
【００６４】
本発明は、回転軸を有する任意の装置に回転軸の軸封装置として適用可能である。例えば、遠心ポンプ、攪拌機等の軸シール等に利用することができる。
【図１】
0005380713.tif 000002
【図２】
0005380713.tif 000003
【図３】
0005380713.tif 000004
【図４】
0005380713.tif 000005
【図５】
0005380713.tif 000006
【図６】
0005380713.tif 000007
【図７】
0005380713.tif 000008